(57)【要約】【課題】つるしがけ用浮遊式展示看板を提供することを目的とする。【解決手段】複数の展示看板とつるし糸が含まれており、各展示看板の間はつるし糸で順次してつるして接続される浮遊式展示看板。その中で、各展示看板の上縁の重心のところにつるしがけ点が、各展示看板の下縁側につるし点が付けられている；前の展示看板のつるし点と次の展示看板のつるしがけ点の間はつるし糸で接続される。各展示看板につるし看板を付け加え、展示看板と交わるようにし、構造全体のバランスと形態を調整する。各展示看板に平面の図か立体の実物模型が載せられており、360度範囲内で自由に回転できる。【選択図】図１
2008544319.tif 000002
【特許請求の範囲】
【請求項１】
複数の展示看板、つるし糸が含まれており、その内、展示看板ごとの上縁の重心のところにつるしがけ点があり、展示看板の下縁側につるし点がつけられることと、前の展示看板のつるし点と次の展示看板のつるしがけ点の間はつるし糸で接続され、各展示看板の間はつるし糸で順次してつるして接続されることと、一番上の展示看板はつるしがけ点にあるつるし糸で固定物に吊るすことと、一番下の展示看板につるし点とつるし点にあるつるし糸がないようにすることを特徴とするつるしがけ用浮遊式展示看板。
【請求項２】
複数の展示看板、つるし糸とつるし看板が含まれており、その内、展示看板ごとの上縁の重心のところにつるしがけ点があり、各展示看板の下縁側につるし点がつけられることと、前の展示看板のつるし点と次の展示看板のつるしがけ点の間はつるし糸で接続され、各展示看板の間はつるし糸で順次してつるして接続されることと、一番上の展示看板はつるしがけ点にあるつるし糸で固定物に吊るされることと、一番下の展示看板につるし点とつるし点にあるつるし糸がないようにすることと、一部或いは全部の展示看板の下縁のつるし点につるし看板が設置され、展示看板はつるし看板と交わり、相互交差構造となることと、つるし看板の下縁の中心のところにつるし点が設置され、つるし糸で次の展示看板と接続されていることを特徴とするつるしがけ用浮遊式展示看板。
【請求項３】
複数の展示看板、つるし糸とつるし看板が含まれており、その内、展示看板ごとの上縁の重心のところにつるしがけ点があり、各展示看板の下縁側につるし点がつけられることと、前の展示看板のつるし点と次の展示看板のつるしがけ点の間はつるし糸で接続され、各展示看板の間はつるし糸で順次してつるして接続されることと、一番上の展示看板はつるしがけ点にあるつるし糸で固定物に吊るされることと、一番下の展示看板につるし点とつるし点にあるつるし糸がないようにすることと、一部或いは全部の展示看板の、つるし点がある側の向こう側につるし看板が付け加えられ、展示看板とつるし看板は交わり、相互交差構造となることを特徴とするつるしがけ用浮遊式展示看板。  
【請求項４】
請求項３により、つるし看板の下縁の中点のところにつるし点がつけられ、次の展示看板のつるしがけ点とつるし糸で接続されていることを特徴とするつるしがけ用浮遊式展示看板。
【発明の詳細な説明】
【技術分野】
【０００１】
この実用新型は図或いは模型の展示用具に関する。特につるしがけ用浮遊式展示看板を対象にする。
【背景技術】
【０００２】
製品或いは技術の宣伝を社会及び公衆にPRするために、展示看板はその広告の担体の一つである。
【０００３】
広告看板の造型を真新しくし、人目が引けるように、現在いろんな看板が出されている。例えば、立看板式看板や環状回転式看板や複数のプリズムによる3種類の画面が転換できる看板などである。
【０００４】
特に特許番号03257923.3、発明名称「浮遊式展示棚」の展示用具は、伝統的な図或いは模型の静態展示を動態展示にさせている。手段として、複数のつるし棒及びつるし糸がある。つるし棒間はつるし糸で接続されている。つるし棒には順次してつるし点、支点、つるしがけ点が付けられている。つるし棒間は前のつるし棒のつるし点と次のつるし棒の支点はつるし糸で接続され、各つるし棒のつるしがけ点に展示物を掛け、順次して接続され、浮遊構造となる；各つるし棒の支点を浮遊構造の当該つるし棒の重心範囲内にする。
【特許文献１】中国特許番号03257923.3
【０００５】
前記［浮遊式展示棚］はつるし棒及びつるし糸で一体に接続され、立体空間構造となり、つるしがけ点に、図などの平面展示物も、製品模型或いは実物などの立体物もぶら下げられる。各展示物及びつるし棒は360度範囲で自由に回転でき、浮遊式立体空間構造は動態の浮遊状態を呈し、つるしがけ点にある展示物も揺れながら浮遊し、非常に人目を引き、よい展示効果が出せる。
【０００６】
しかし、前記「浮遊式展示棚」はつるし棒及びつるし糸で接続されているが、つるし棒及びつるし糸は接続・支えという役割だけを果たし、つるし棒及びつるし糸そのものには図或いは模型を展示する機能がなく、展示面積が制限されている。
【発明の開示】
【発明が解決しようとする課題】
【０００７】
この発明はつるしがけ用浮遊式展示看板を提供することを目的とする。
【課題を解決するための手段】
【０００８】
浮遊と揺れの効果があり、造型が真新しく、人目が集まり、展示面積が広く、展示形を自由に変更・組合せできる。この実用新型発明には、複数の展示看板、つるし糸が含まれている；そのうち、各展示看板のトップ縁の重心をつるしがけ点にし、各展示看板の下縁側につるし点をつける；前の展示看板のつるし点と次の展示看板のつるしがけ点の間はつるし糸で接続され、展示看板ごとはつるし糸で順次してつるして接続される。一番上の展示看板はつるしがけ点のつるし糸で固定物にぶら下げる。一番下の展示看板に、つるし点とつるし点にあるつるし糸がないようにする。図1の通り。
【０００９】
この実用新型発明に複数の展示看板、つるし糸とつるし看板が含まれることもできる。そのうち、展示看板ごとの上縁の重心をつるし点とし、展示看板の下縁側につるし点をつける；前の展示看板のつるし点と次の展示看板のつるしがけ点の間は、つるし糸で接続され、展示看板ごとはつるし糸で順次してつるして接続される。一番上の展示看板はつるしがけ点のつるし糸で固定物にぶら下げられる。一番下の展示看板につるし点とつるし点にあるつるし糸がないようにする。一部或いは全部の展示看板のつるし点につるし看板を設置し、展示看板とつるし看板はいろんな角度で交わり、相互に交わりあう構造となる；つるし看板の下縁の中点のところをつるし点とし、次の展示看板のつるし点とつるし糸で接続する。図2の通り。
【００１０】
この実用新型発明に複数の展示看板、つるし糸とつるし看板が含まれることもできる。そのうち、展示看板ごとの上縁の重心をつるし点とし、展示看板の下縁側につるし点をつける；前の展示看板のつるし点と次の展示看板のつるしがけ点の間は、つるし糸で接続され、展示看板ごとはつるし糸で順次してつるして接続される。一番上の展示看板はつるしがけ点のつるし糸で固定物にぶら下げられる。一番下の展示看板につるし点とつるし点にあるつるし糸がないようにする。一部或いは全部の展示看板の、つるし点がある側の向こう側につるし看板を設置し、展示看板とつるし看板はいろんな角度で交わり、相互に交わりあう構造となる；つるし看板の下縁の中点のところをつるし点とし、次の展示看板のつるし点とつるし糸で接続する。図３の通り。
【００１１】
この実用新型の展示看板は板状、枠状でもいい。
【００１２】
この実用新型のつるし糸は糸でもいいし、チェーンやつなげ輪でもいい。
【発明の効果】
【００１３】
この実用新型のつるしがけ点とつるし点につるし輪を付けることができる。
【００１４】
この実用新型の展示看板のつるしがけ点とは、全体バランスが取れた状態で、構造全体の展示看板の上縁の重心のところを指す。
【００１５】
この実用新型の展示看板ごとに、平面の図或いは立体実物模型を載せることができる。
【００１６】
この実用新型は使用時に、一番下の展示看板の上縁の重心のところにつるしがけ点を設置し、つるしがけ点につるし糸を接続する。つるし糸を前の展示看板と、つまり下から上へと言う順序で排列している2枚目の展示看板の下方側についているつるし点と接続する。2枚目展示看板の上縁の重心のところにつるしがけ点を設置し、つるし糸で3枚目展示看板のつるし点と接続する。順次して4枚目、5枚目展示看板を接続し、つるし糸で一番上のN枚目展示看板のつるしがけ点と接続した後、つるし糸でこの実用新型全体を上方の固定物につるしがける。
【００１７】
この実用新型を上方の固定物につるした後、つるし糸で各展示看板を空間で展開し、展示看板に載せてある図或いは立体実物模型を空中で展開できるようになる。
【００１８】
各展示看板のつるし点が展示看板の下方側に設置され、各展示看板のつるしがけ点が上縁の重心に設置されているので、固定物に吊るされたこの実用新型で、つるし糸で接続された各展示看板はてこの力学原理バランスが取れており、各展示看板は360度範囲で自由に回転でき、空中で浮遊状態を呈する。浮遊式立体空間構造は動態浮遊状態にあり、展示看板も浮遊し、非常に人目を引き、展示看板に載っている宣伝内容の宣伝効果がよく上がる。
【００１９】
展示看板に吊るし看板を付け加えると、吊るし看板の下縁の重心をつるし点とし、次の展示看板のつるしがけ点とつるし糸で接続し、自身の重量と展示看板に設置された位置で、テコの力学原理を利用し、全体のバランスを調整し、或いは展示重量を増やすことができる。展示看板とつるし看板はいろんな角度で交わり、相互に交わりあった構造となり、この実用新型全体の浮遊と揺れの効果が出せる。
【００２０】
展示看板は接続部品でもあるし、展示部品でもあるし、展示看板そのものは展示面積となるので、接続部品が展示面積にならない「浮遊式展示棚」に比べ、展示面積が広くなっている。
【００２１】
展示内容を変更するとき、展示看板で内容を変更するか、展示看板を交換することができ、非常に便利である。展示規模を変更する必要がある時、下から上へと展示看板の数量を調整するだけで、展示規模が変えられる。
【００２２】
まとめて言うと、この実用新型は一種のつるしがけ用浮遊式展示看板である。浮遊とゆれの展示効果があり、造型が真新しく、人目を引く働きがある。展示面積が広く、展示形態を自由に組合せ・変更できる。
【発明を実施するための最良の形態】
【００２３】
実施例1
ポリエステル板で矩形展示看板１を作り、下から上への順序で、サイズについては、1枚目：長さ×高さ60×30cm；2枚目：長さ×高さ70×30cm；3枚目と4枚目：長さ×高さ80×40cm；一番上の5枚目：長さ×高さ90×40cm。彩色の金属チェーンをつるし糸2とする。
【００２４】
一番下の一枚目展示看板1のつるしがけ点3は展示看板1の上縁の中心のところにし、つまり、前記展示看板1の両端から30cm離れるようにする。2枚目展示看板1のつるし点4は当該展示看板1の下方の左端にし、つるしがけ点3は当該展示看板1の上縁の、左端から20cm離れたところにする。三枚目展示看板1のつるし点4は当該展示看板1の下方の右端にし、つるしがけ点3は当該展示看板1の上縁の、右端から20cm離れたところにする。四枚目展示看板1のつるし点4は当該展示看板1の下方の左端にし、つるしがけ点3は当該展示看板1の上縁の、左端から15cm離れたところにする；五枚目展示看板1のつるし点4は当該展示看板1の下方の左端にし、つるしがけ点3は当該展示看板1の上縁の、左端から20cm離れたところにする。
【００２５】
この実用新型をモーターショーに使う時、展示看板1の両面に各種自動車の宣伝図を書き、或いは自動車の模型をつけ、一番上の展示看板1をつるしがけ点3のつるし糸2で展示ホールの屋根につるしがけることができる。つるし糸2と展示看板1の間の回転接続により、自動車の図或いは模型がついている展示看板１は空中で浮遊・回転し、造型が真新しく、人目を引き、展示効果がよい。
【００２６】
実施例2
鉄鋼の矩形枠に絹を張り、複数枚の半透明の矩形展示看板1を作る。展示看板1のつるし点4の側に垂直して鉄鋼の円形枠をつけ、絹を張り、半透明の円形つるし看板5を作る。各つるし看板5とそれぞれ各展示看板1はつるし点4の側で垂直しあう交差構造となる。各つるし看板5の下縁の重心のところに、つまり、円周の一番低い点に、つるし点4をつけ、下の展示看板1とつるし糸2で接続する。
【００２７】
下から上への順序で、サイズについては、一番下の一枚目展示看板1：長さ×高さ10×3cm；2枚目展示看板1：長さ×高さ15×5cm；3枚目展示看板1：長さ×高さ18×5cm；4枚目展示看板1：長さ×高さ20×5cm；一番上の5枚目展示看板1：長さ×高さ28×10cm。
【００２８】
下から上への順序で、円形つるし看板5のサイズは、一番下の一枚目はφ=6 cm；2枚目、3枚目、4枚目はいずれもφ=10cm；一番上の5枚目はφ=20 cm。
【００２９】
彩色の糸をつるし糸とし、区分ごとの糸の長さは5cmとする。
【００３０】
一番下の一枚目展示看板1のつるしがけ点3は当該展示看板1の上縁の中心のところにし、つまり、当該展示看板1の両端から5cm離れたところにする。
【００３１】
二枚目展示看板1のつるし点4は当該展示看板1の下方の左端にし、つるしがけ点3は当該展示看板1の上縁の、左端から5cmはなれたところにする；円形つるし看板5は当該展示看板1のつるし点4にし、当該展示看板１と垂直して交わり、円形つるし看板5の下縁の最低のところにつるし点4をつけ、当該つるし点4はつるし糸2で下の一枚目展示看板1のつるしがけ点3と接続される。
【００３２】
三枚目展示看板1のつるし点4は当該展示看板1の下方の右端にし、つるしがけ点3は当該展示看板1の上縁の、右端から5cm離れたところにし、円形つるし看板5は当該展示看板1のつるし点4のところにし、展示看板1と垂直して交わり、円形つるし看板5の下縁の最低のところにつるし点4をつけ、当該つるし点４はつるし糸2で下の二枚目展示看板1のつるしがけ点3と接続される。
【００３３】
四枚目展示看板1のつるし点4は当該展示看板1の下方の左端にし、つるしがけ点3は当該展示看板1の上縁の、左端から4cm離れたところにし、円形つるし看板5は当該展示看板1のつるし点4のところにし、展示看板1と垂直して交わり、円形つるし看板5の下縁の最低のところにつるし点4をつけ、当該つるし点４はつるし糸2で下の三枚目展示看板1のつるしがけ点3と接続される。
【００３４】
五枚目展示看板1のつるし点4は当該展示看板1の下方の左端にし、つるしがけ点3は当該展示看板1の上縁の、右端から3cm離れたところにし、展示看板1と垂直して交わり、円形つるし看板5の下縁の最低のところにつるし点4をつけ、当該つるし点4はつるし糸2で下の四枚目展示看板1のつるしがけ点3と接続される。
【００３５】
つるし糸2で五枚目展示看板1のつるしがけ点3と接続し、当該つるし糸2を高さ1mの縦柱棚のトップのフックにかける。図2の通り。
【００３６】
この実用新型を玩具展示に使う時、展示看板1とつるし看板5に玩具図か立体の実物玩具を載せられる。浮遊して回転する図と立体の実物玩具はもっと児童の興味を引き起こし、広告の効果を上げることができる。
【００３７】
実施例3
実施例2の五枚目展示看板1の円形つるし看板5を五枚目展示看板1のつるし点4の向こう側に掛け、展示看板1と垂直して交わるようにし、円形つるし看板5の一番下につるし点4をつけ、当該つるし点4はつるし糸2と接続される。つるし糸2の下端はもう一つの円形つるし看板5の頂点とつながる。
【００３８】
当該円形つるし看板5は展示量を増やしただけでなく、全体のバランスを調整できる。
【図面の簡単な説明】
【００３９】
【図１】この実用新型全体の見取り図である。
【図２】展示看板のつるし点につるし看板が設置されている実用新型の見取り図である。
【図３】展示看板の、つるし点が設置されている側の向こう側につるし看板が設置されている実用新型の見取り図である。
【符号の説明】
【００４０】
1…展示看板  2…つるし糸  3…つるしがけ点  4…つるし点  
5…つるし看板
【図１】
2008544319.tif 000003
【図２】
2008544319.tif 000004
【図３】
2008544319.tif 000005
【国際調査報告】
2008544319.tif 000006
2008544319.tif 000007
2008544319.tif 000008
2008544319.tif 000009